(57)【要約】【課題】  ファームウェアがカスタマイズされることなく、ペーパーハンドリングがカスタマイズされることができる画像形成装置およびペーパーハンドリング情報登録アプリケーションを提供する。【解決手段】  ペーパーハンドリング情報を管理するペーパーハンドリング情報管理部１８ｄと、ペーパーハンドリング情報管理部１８ｄによって管理されているペーパーハンドリング情報に基づいてプリンターによるペーパーハンドリングを制御するペーパーハンドリング制御部とを備えるＭＦＰは、ペーパーハンドリング情報登録アプリケーション１７ｃがインストールされることが可能であり、ペーパーハンドリング情報登録アプリケーション１７ｃを実行することによって、ペーパーハンドリング情報をペーパーハンドリング情報管理部１８ｄに管理させる（Ｓ１３２〜Ｓ１３４）ペーパーハンドリング情報登録部１８ｇを実現することを特徴とする。【選択図】  図６
2018130849.tif 000002
【特許請求の範囲】
【請求項１】
記録媒体に印刷を実行する印刷デバイスと、
前記印刷デバイスによる記録媒体の搬送に関する振る舞いとしてのペーパーハンドリングを示すペーパーハンドリング情報を管理するペーパーハンドリング情報管理手段と、
前記ペーパーハンドリング情報管理手段によって管理されている前記ペーパーハンドリング情報に基づいて前記印刷デバイスによる前記ペーパーハンドリングを制御するペーパーハンドリング制御手段と
を備え、
前記ペーパーハンドリング情報を登録するためのペーパーハンドリング情報登録アプリケーションがインストールされることが可能であり、前記ペーパーハンドリング情報登録アプリケーションを実行することによって、前記ペーパーハンドリング情報を前記ペーパーハンドリング情報管理手段に管理させるペーパーハンドリング情報登録手段を実現することを特徴とする画像形成装置。
【請求項２】
前記ペーパーハンドリング情報登録アプリケーションを実行することによって、利用者の認証を実行する利用者認証手段を実現し、
前記ペーパーハンドリング情報登録手段は、前記利用者認証手段による特定の利用者の認証が成功した場合に、前記ペーパーハンドリング情報を前記ペーパーハンドリング情報管理手段に管理させることを特徴とする請求項１に記載の画像形成装置。
【請求項３】
前記ペーパーハンドリング情報登録アプリケーションがアンインストールされることが可能であることを特徴とする請求項１または請求項２に記載の画像形成装置。
【請求項４】
記録媒体に印刷を実行する印刷デバイスと、
前記印刷デバイスによる記録媒体の搬送に関する振る舞いとしてのペーパーハンドリングを示すペーパーハンドリング情報を管理するペーパーハンドリング情報管理手段と、
前記ペーパーハンドリング情報管理手段によって管理されている前記ペーパーハンドリング情報に基づいて前記印刷デバイスによる前記ペーパーハンドリングを制御するペーパーハンドリング制御手段と
を備える画像形成装置に、
前記ペーパーハンドリング情報を前記ペーパーハンドリング情報管理手段に管理させるペーパーハンドリング情報登録手段を実現させることを特徴とするペーパーハンドリング情報登録アプリケーション。
【発明の詳細な説明】
【技術分野】
【０００１】
本発明は、印刷デバイスによる記録媒体の搬送に関する振る舞いとしてのペーパーハンドリングを制御する画像形成装置およびペーパーハンドリング情報登録アプリケーションに関する。
【背景技術】
【０００２】
従来、ペーパーハンドリングを制御する画像形成装置が知られている（例えば、特許文献１参照。）。
【０００３】
従来の画像形成装置おいては、様々な条件に応じて、様々な振る舞いが設定され得る。ここで、条件としては、例えば、記録媒体の排出先が記録媒体で既に満ちているなど、何らかのエラーが発生したという条件や、サイズが適合しないために記録媒体を排出することができない排出先が利用者によって指定されているなど、何らかの禁則が発生したという条件や、記録媒体の供給元や排出先として何れが利用者によって指定されているかという条件などがある。また、振る舞いとしては、例えば、排出先を自動で変更したり、記録媒体の排出を停止したりなどの振る舞いがある。しかしながら、様々な条件に応じて様々な振る舞いを利用者に設定させるのは煩雑である。そのため、従来の画像形成装置においては、メーカー側でペーパーハンドリングをパターン化して提供している。
【先行技術文献】
【特許文献】
【０００４】
【特許文献１】特開２００７−０６５５９８号公報
【発明の概要】
【発明が解決しようとする課題】
【０００５】
しかしながら、従来の画像形成装置おいては、利用者毎にカスタマイズしたペーパーハンドリングを提供する場合、ファームウェアの変更によってペーパーハンドリングを提供することになるので、カスタマイズしたペーパーハンドリングを提供するためにカスタマイズしたファームウェア（以下「カスタムファームウェア」と言う。）を作成する時間が少なからず必要であるという問題と、カスタムファームウェアによって画像形成装置におけるペーパーハンドリング以外の機能に影響が生じる可能性があるという問題と、正規のファームウェアに不具合の修正や機能の追加のためのバージョンアップがなされた場合にカスタムファームウェアも同様のバージョンアップがなされる必要があるという問題とがある。
【０００６】
そこで、本発明は、ファームウェアがカスタマイズされることなく、ペーパーハンドリングがカスタマイズされることができる画像形成装置およびペーパーハンドリング情報登録アプリケーションを提供することを目的とする。
【課題を解決するための手段】
【０００７】
本発明の画像形成装置は、記録媒体に印刷を実行する印刷デバイスと、前記印刷デバイスによる記録媒体の搬送に関する振る舞いとしてのペーパーハンドリングを示すペーパーハンドリング情報を管理するペーパーハンドリング情報管理手段と、前記ペーパーハンドリング情報管理手段によって管理されている前記ペーパーハンドリング情報に基づいて前記印刷デバイスによる前記ペーパーハンドリングを制御するペーパーハンドリング制御手段とを備え、前記ペーパーハンドリング情報を登録するためのペーパーハンドリング情報登録アプリケーションがインストールされることが可能であり、前記ペーパーハンドリング情報登録アプリケーションを実行することによって、前記ペーパーハンドリング情報を前記ペーパーハンドリング情報管理手段に管理させるペーパーハンドリング情報登録手段を実現することを特徴とする。
【０００８】
この構成により、本発明の画像形成装置は、ペーパーハンドリング情報登録アプリケーションを実行することによってペーパーハンドリング情報をペーパーハンドリングの制御のために管理するので、ファームウェアがカスタマイズされることなく、ペーパーハンドリングがカスタマイズされることができる。
【０００９】
本発明の画像形成装置は、前記ペーパーハンドリング情報登録アプリケーションを実行することによって、利用者の認証を実行する利用者認証手段を実現し、前記ペーパーハンドリング情報登録手段は、前記利用者認証手段による特定の利用者の認証が成功した場合に、前記ペーパーハンドリング情報を前記ペーパーハンドリング情報管理手段に管理させても良い。
【００１０】
この構成により、本発明の画像形成装置は、特定の利用者によってペーパーハンドリング情報登録アプリケーションが実行された場合にペーパーハンドリング情報をペーパーハンドリングの制御のために管理するので、不正な利用者によってペーパーハンドリングがカスタマイズされる可能性を低減することができる。
【００１１】
本発明の画像形成装置は、前記ペーパーハンドリング情報登録アプリケーションがアンインストールされることが可能であっても良い。
【００１２】
この構成により、本発明の画像形成装置は、ペーパーハンドリング情報登録アプリケーションがアンインストールされることによって、ペーパーハンドリング情報の登録を不可能にするので、不正な利用者によってペーパーハンドリングがカスタマイズされる可能性を低減することができる。
【００１３】
本発明のペーパーハンドリング情報登録アプリケーションは、記録媒体に印刷を実行する印刷デバイスと、前記印刷デバイスによる記録媒体の搬送に関する振る舞いとしてのペーパーハンドリングを示すペーパーハンドリング情報を管理するペーパーハンドリング情報管理手段と、前記ペーパーハンドリング情報管理手段によって管理されている前記ペーパーハンドリング情報に基づいて前記印刷デバイスによる前記ペーパーハンドリングを制御するペーパーハンドリング制御手段とを備える画像形成装置に、前記ペーパーハンドリング情報を前記ペーパーハンドリング情報管理手段に管理させるペーパーハンドリング情報登録手段を実現させることを特徴とする。
【００１４】
この構成により、本発明のペーパーハンドリング情報登録アプリケーションを実行する画像形成装置は、ペーパーハンドリング情報登録アプリケーションを実行することによってペーパーハンドリング情報をペーパーハンドリングの制御のために管理するので、ファームウェアがカスタマイズされることなく、ペーパーハンドリングがカスタマイズされることができる。
【発明の効果】
【００１５】
本発明の画像形成装置およびペーパーハンドリング情報登録アプリケーションは、ファームウェアがカスタマイズされることなく、ペーパーハンドリングがカスタマイズされることができる。
【図面の簡単な説明】
【００１６】
【図１】本発明の一実施の形態に係るＭＦＰのブロック図である。
【図２】図１に示すＭＦＰのソフトウェア構成のブロック図である。
【図３】ペーパーハンドリング情報登録アプリケーションおよびペーパーハンドリング情報が記憶されていない状態での図２に示すソフトウェア構成のブロック図である。
【図４】ペーパーハンドリング情報登録アプリケーションおよびペーパーハンドリング情報のうちペーパーハンドリング情報登録アプリケーションのみが記憶されている状態での図２に示すソフトウェア構成のブロック図である。
【図５】ペーパーハンドリング情報登録アプリケーションがアクティベーションされる場合の図１に示すＭＦＰの動作のシーケンス図である。
【図６】ペーパーハンドリング情報が登録される場合の図１に示すＭＦＰの動作のシーケンス図である。
【図７】ペーパーハンドリングを実行する場合の図１に示すＭＦＰの動作のシーケンス図である。
【図８】ペーパーハンドリング情報登録アプリケーションがアンインストールされた状態での図２に示すソフトウェア構成のブロック図である。
【発明を実施するための形態】
【００１７】
以下、本発明の一実施の形態について、図面を用いて説明する。
【００１８】
まず、本実施の形態に係る画像形成装置としてのＭＦＰ（Ｍｕｌｔｉｆｕｎｃｔｉｏｎ  Ｐｅｒｉｐｈｅｒａｌ）の構成について説明する。
【００１９】
図１は、本実施の形態に係るＭＦＰ１０のブロック図である。
【００２０】
図１に示すように、ＭＦＰ１０は、利用者による種々の操作が入力されるボタンなどの入力デバイスである操作部１１と、種々の情報を表示するＬＣＤ（Ｌｉｑｕｉｄ  Ｃｒｙｓｔａｌ  Ｄｉｓｐｌａｙ）などの表示デバイスである表示部１２と、用紙などの記録媒体に印刷を実行する印刷デバイスであるプリンター１３と、原稿から画像データを読み取る読取デバイスであるスキャナー１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で、または、ネットワークを介さずに有線または無線で直接に、外部の装置と通信を行う通信デバイスである通信部１６と、各種のデータを記憶している半導体メモリー、ＨＤＤ（Ｈａｒｄ  Ｄｉｓｋ  Ｄｒｉｖｅ）などの不揮発性の記憶デバイスである記憶部１７と、ＭＦＰ１０全体を制御する制御部１８とを備えている。
【００２１】
記憶部１７は、ファームウェア１７ａを記憶している。ファームウェア１７ａは、ＭＦＰ１０の製造段階でＭＦＰ１０にインストールされていても良いし、ＵＳＢ（Ｕｎｉｖｅｒｓａｌ  Ｓｅｒｉａｌ  Ｂｕｓ）メモリーなどの記憶媒体からＭＦＰ１０に追加でインストールされても良いし、ネットワーク上からＭＦＰ１０に追加でインストールされても良い。
【００２２】
ファームウェア１７ａは、アプリケーションを動作させるための拡張サービスプラットフォーム１７ｂを含んでいる。
【００２３】
記憶部１７は、拡張サービスプラットフォーム１７ｂ上で動作するアプリケーションとして、プリンター１３による記録媒体の搬送に関する振る舞いとしてのペーパーハンドリングを示す後述のペーパーハンドリング情報１７ｅを登録するためのペーパーハンドリング情報登録アプリケーション１７ｃを記憶している。ペーパーハンドリング情報１７ｅは、ＭＦＰ１０の状態（特にペーパーハンドリングに関する状態）を示す条件と、各条件に応じたペーパーハンドリングを示す情報を含む。ペーパーハンドリング情報１７ｅは、例えば、特定のエラー（例えば、紙詰まりを示すエラー、記録媒体の排出先が記録媒体で既に満ちていることを示すトレイフルエラーなど）が発生したという条件、記録媒体の搬送に関する禁則（搬送される記録媒体のサイズに適合しない排出先（適合しないために記録媒体を排出することができない。）が利用者によって指定されているなど）が発生したという条件、及び記録媒体の供給元や排出先として何れが利用者によって指定されているかという条件の少なくとも１つを含んでいてもよい。また、ペーパーハンドリングは、例えば、特定のエラー（例えば、紙詰まりエラー、トレイフルエラー）が発生した条件に応じて記録媒体の排出を停止する振る舞い、特定のエラー（例えばトレイフルエラー）が発生した条件又は記録媒体の搬送に関する禁則が発生したという条件に応じて記録媒体の排出先を自動で変更する振る舞い、利用者によって記録媒体の供給元が指定されていないという条件に応じて供給元を自動で決定する振る舞い、利用者によって記録媒体の排出先が指定されていないという条件に応じて排出先を自動で決定する振る舞いの少なくとも１つを含んでいてもよい。ペーパーハンドリング情報登録アプリケーション１７ｃは、ＭＦＰ１０の製造段階でＭＦＰ１０にインストールされていても良いし、ＵＳＢメモリーなどの記憶媒体からＭＦＰ１０に追加でインストールされても良いし、ネットワーク上からＭＦＰ１０に追加でインストールされても良い。なお、ペーパーハンドリング情報登録アプリケーション１７ｃは、操作部１１を介した指示に応じてＭＦＰ１０からアンインストールされることもできる。
【００２４】
記憶部１７は、ＭＦＰ１０の一般権限の利用者（以下「一般権限利用者」と言う。）、ＭＦＰ１０の管理者（以下「管理者」と言う。）、および、ＭＦＰ１０のサービスパーソンを認証するために必要な認証用情報１７ｄを記憶している。
【００２５】
記憶部１７は、ペーパーハンドリング情報１７ｅを記憶可能である。ペーパーハンドリング情報１７ｅは、例えば、テキストデータで構成されている。
【００２６】
制御部１８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるメモリーとしてのＲＡＭ（Ｒａｎｄｏｍ  Ａｃｃｅｓｓ  Ｍｅｍｏｒｙ）とを備えている。ＣＰＵは、ＲＯＭまたは記憶部１７に記憶されているプログラムを実行する。
【００２７】
図２は、ＭＦＰ１０のソフトウェア構成のブロック図である。
【００２８】
図２に示すように、制御部１８（図１参照。）は、ファームウェア１７ａを実行することによって、利用者の認証用情報１７ｄ（図１参照。）を管理する利用者管理部１８ａと、プリンター１３（図１参照。）によるペーパーハンドリングを制御するペーパーハンドリング制御手段としてのペーパーハンドリング制御部１８ｂとを実現する。
【００２９】
特に、制御部１８は、拡張サービスプラットフォーム１７ｂを実行することによって、拡張サービスプラットフォーム１７ｂ上で動作するアプリケーションを管理するアプリケーション管理部１８ｃと、ペーパーハンドリング情報１７ｅを管理するペーパーハンドリング情報管理手段としてのペーパーハンドリング情報管理部１８ｄとを実現する。
【００３０】
制御部１８は、ペーパーハンドリング情報登録アプリケーション１７ｃを実行することによって、利用者の認証を実行する利用者認証手段としての利用者認証部１８ｅと、ペーパーハンドリング情報登録アプリケーション１７ｃをアプリケーション管理部１８ｃに管理させるための情報（以下「アプリケーション情報」と言う。）を取得するアプリケーション情報取得部１８ｆと、ペーパーハンドリング情報１７ｅをペーパーハンドリング情報管理部１８ｄに管理させるペーパーハンドリング情報登録手段としてのペーパーハンドリング情報登録部１８ｇと、利用者認証部１８ｅ、アプリケーション情報取得部１８ｆおよびペーパーハンドリング情報登録部１８ｇを制御するアプリケーション制御部１８ｈとを実現する。
【００３１】
次に、ＭＦＰ１０の動作について説明する。
【００３２】
まず、ペーパーハンドリング情報登録アプリケーション１７ｃをインストールしてアクティベーションする場合のＭＦＰ１０の動作について説明する。
【００３３】
図３は、ペーパーハンドリング情報登録アプリケーション１７ｃ（図２参照。）およびペーパーハンドリング情報１７ｅ（図２参照。）が記憶されていない状態でのＭＦＰ１０のソフトウェア構成のブロック図である。
【００３４】
利用者は、ＭＦＰ１０が図３に示すようにペーパーハンドリング情報登録アプリケーション１７ｃを記憶していない状態である場合に、ペーパーハンドリング情報登録アプリケーションのインストールを操作部１１を介してＭＦＰ１０に指示することができる。制御部１８は、ペーパーハンドリング情報登録アプリケーションのインストールが指示されると、インストールが指示されたペーパーハンドリング情報登録アプリケーションをペーパーハンドリング情報登録アプリケーション１７ｃとして記憶部１７に記憶する。
【００３５】
図４は、ペーパーハンドリング情報登録アプリケーション１７ｃおよびペーパーハンドリング情報１７ｅ（図２参照。）のうちペーパーハンドリング情報登録アプリケーション１７ｃのみが記憶されている状態でのＭＦＰ１０のソフトウェア構成のブロック図である。
【００３６】
利用者は、ＭＦＰ１０が図４に示すようにペーパーハンドリング情報登録アプリケーション１７ｃを記憶している状態である場合に、ペーパーハンドリング情報登録アプリケーション１７ｃのアクティベーションを操作部１１を介してＭＦＰ１０に指示することができる。制御部１８は、ペーパーハンドリング情報登録アプリケーション１７ｃのアクティベーションが指示されると、図５に示す動作を実行する。
【００３７】
図５は、ペーパーハンドリング情報登録アプリケーション１７ｃがアクティベーションされる場合のＭＦＰ１０の動作のシーケンス図である。
【００３８】
図５に示すように、アプリケーション制御部１８ｈは、利用者認証部１８ｅに利用者の認証を指示する（Ｓ１０１）。したがって、利用者認証部１８ｅは、利用者管理部１８ａから認証用情報１７ｄを取得し（Ｓ１０２）、ＭＦＰ１０にログイン中の利用者が例えば管理者やサービスパーソンなど、特定の利用者であるか否かの認証をＳ１０２において取得した認証用情報１７ｄに基づいて実行し（Ｓ１０３）、Ｓ１０３における認証の結果をアプリケーション制御部１８ｈに通知する（Ｓ１０４）。
【００３９】
アプリケーション制御部１８ｈは、Ｓ１０３における認証に成功した場合、ペーパーハンドリング情報登録アプリケーション１７ｃを拡張サービスプラットフォーム１７ｂ上で動作するアプリケーションとするための指示、すなわち、アクティベーションの指示をアプリケーション情報取得部１８ｆに実行する（Ｓ１０５）。したがって、アプリケーション情報取得部１８ｆは、アプリケーション情報を取得した後（Ｓ１０６）、取得したアプリケーション情報をアプリケーション管理部１８ｃに通知する（Ｓ１０７）。
【００４０】
なお、アプリケーション制御部１８ｈは、Ｓ１０３における認証に失敗した場合、処理を中止しても良い。
【００４１】
アプリケーション管理部１８ｃは、アプリケーション情報が通知されると、通知されたアプリケーション情報に基づいて、ペーパーハンドリング情報登録アプリケーション１７ｃを拡張サービスプラットフォーム１７ｂ上で動作するアプリケーションとして管理する（Ｓ１０８）。すなわち、ペーパーハンドリング情報登録アプリケーション１７ｃは、アクティベーションされる。
【００４２】
次に、ペーパーハンドリング情報１７ｅが登録される場合のＭＦＰ１０の動作について説明する。
【００４３】
利用者は、ペーパーハンドリング情報登録アプリケーション１７ｃがアクティベーションされている状態で、ペーパーハンドリング情報の登録を操作部１１を介してＭＦＰ１０に指示することができる。アプリケーション制御部１８ｈは、ペーパーハンドリング情報の登録が指示されると、図６に示す動作を実行する。
【００４４】
図６は、ペーパーハンドリング情報１７ｅが登録される場合のＭＦＰ１０の動作のシーケンス図である。
【００４５】
図６に示すように、アプリケーション制御部１８ｈは、操作部１１を介して指示されたペーパーハンドリング情報の登録をペーパーハンドリング情報登録部１８ｇに指示する（Ｓ１３１）。ここで、ペーパーハンドリング情報は、例えば、ＭＦＰ１０に接続されているＵＳＢメモリーなどのリムーバブルメディアに記憶されているものでも良いし、ネットワークを介して取得可能なものでも良い。
【００４６】
ペーパーハンドリング情報登録部１８ｇは、ペーパーハンドリング情報の登録が指示されると、指示されたペーパーハンドリング情報を図２に示すようにペーパーハンドリング情報１７ｅとして記憶部１７に記憶し（Ｓ１３２）、記憶したペーパーハンドリング情報１７ｅの管理をペーパーハンドリング情報管理部１８ｄに指示する（Ｓ１３３）。したがって、ペーパーハンドリング情報管理部１８ｄは、ペーパーハンドリング情報登録部１８ｇから指示されたペーパーハンドリング情報１７ｅを管理する（Ｓ１３４）。すなわち、ペーパーハンドリング情報１７ｅは、拡張サービスプラットフォーム１７ｂに登録される。
【００４７】
次に、ペーパーハンドリングを実行する場合のＭＦＰ１０の動作について説明する。
【００４８】
図７は、ペーパーハンドリングを実行する場合のＭＦＰ１０の動作のシーケンス図である。
【００４９】
制御部１８がプリンター１３による印刷を実行する場合、ペーパーハンドリング制御部１８ｂは、図７に示す動作を実行する。
【００５０】
図７に示すように、ペーパーハンドリング制御部１８ｂは、ペーパーハンドリング情報管理部１８ｄによってペーパーハンドリング情報１７ｅが管理されているか否か、すなわち、拡張サービスプラットフォーム１７ｂにペーパーハンドリング情報１７ｅが登録されているか否かを、ペーパーハンドリング情報管理部１８ｄに問い合わせる（Ｓ１６１）。
【００５１】
ペーパーハンドリング情報管理部１８ｄは、ペーパーハンドリング情報１７ｅを管理している場合、すなわち、拡張サービスプラットフォーム１７ｂにペーパーハンドリング情報１７ｅが登録されている場合、管理しているペーパーハンドリング情報１７ｅをペーパーハンドリング制御部１８ｂに通知する（Ｓ１６２）。
【００５２】
したがって、ペーパーハンドリング制御部１８ｂは、ペーパーハンドリング情報管理部１８ｄから通知されたペーパーハンドリング情報１７ｅに基づいて、ペーパーハンドリングを実行する（Ｓ１６３）。このとき、ペーパーハンドリング制御部１８ｂは、ペーパーハンドリング情報１７ｅに基づいて、ＭＦＰ１０の駆動要素（例えば、給紙ローラー、搬送ローラー、排出先の切り替え部材など）を動作させる。
【００５３】
なお、ペーパーハンドリング情報登録アプリケーション１７ｃは、ペーパーハンドリングが実行される場合に使用されない。したがって、ＭＦＰ１０は、ペーパーハンドリングが実行される場合、図８に示すようにＭＦＰ１０からアンインストールされていても良い。
【００５４】
以上に説明したように、ＭＦＰ１０は、ペーパーハンドリング情報登録アプリケーション１７ｃを実行することによってペーパーハンドリング情報１７ｅをペーパーハンドリングの制御のために管理する（Ｓ１３４）ので、ファームウェア１７ａがカスタマイズされることなく、ペーパーハンドリングがカスタマイズされることができる。
【００５５】
例えば、ＭＦＰ１０のサービスパーソンは、ＭＦＰ１０の設置場所に赴き、ＭＦＰ１０の利用者の目の前でペーパーハンドリング情報１７ｅを登録することによって、カスタマイズされたペーパーハンドリングに対する利用者の反応を確認しながら、利用者に適したペーパーハンドリング情報１７ｅを登録することができる。
【００５６】
ＭＦＰ１０は、特定の利用者によってペーパーハンドリング情報登録アプリケーション１７ｃが実行された場合にペーパーハンドリング情報１７ｅをペーパーハンドリングの制御のために管理するので、不正な利用者によってペーパーハンドリングがカスタマイズされる可能性を低減することができる。
【００５７】
ＭＦＰ１０は、ペーパーハンドリング情報登録アプリケーション１７ｃがアンインストールされることによって、ペーパーハンドリング情報１７ｅの登録を不可能にするので、不正な利用者によってペーパーハンドリングがカスタマイズされる可能性を低減することができる。
【００５８】
本発明の画像形成装置は、本実施の形態においてＭＦＰであるが、プリンター専用機、コピー専用機、ＦＡＸ専用機など、ＭＦＰ以外の画像形成装置でも良い。
【符号の説明】
【００５９】
１０  ＭＦＰ（画像形成装置）
１３  プリンター（印刷デバイス）
１７ｃ  ペーパーハンドリング情報登録アプリケーション
１７ｅ  ペーパーハンドリング情報
１８ｂ  ペーパーハンドリング制御部（ペーパーハンドリング制御手段）
１８ｄ  ペーパーハンドリング情報管理部（ペーパーハンドリング情報管理手段）
１８ｅ  利用者認証部（利用者認証手段）
１８ｇ  ペーパーハンドリング情報登録部（ペーパーハンドリング情報登録手段）
【図１】
2018130849.tif 000003
【図２】
2018130849.tif 000004
【図３】
2018130849.tif 000005
【図４】
2018130849.tif 000006
【図５】
2018130849.tif 000007
【図６】
2018130849.tif 000008
【図７】
2018130849.tif 000009
【図８】
2018130849.tif 000010